(57)【特許請求の範囲】
【請求項１】
サーバから送られてくる、リンクが張られた文字列とこの文字列を囲むタグとの組合せによってイメージ化されそのタグの色によって前記文字列のリンク先の状態を示す操作ボタンを含む画面を表示する画面表示手段と、
この画面表示手段が表示する画面において、前記操作ボタンが操作された場合、その操作ボタンの文字列のリンク先の詳細画面の送信を前記サーバに要求する詳細画面要求手段と
を備えたことを特徴とする携帯端末。
【発明の詳細な説明】
【０００１】
【発明の属する技術分野】
この発明は、サーバから送られてくる監視画面などの画面を表示する携帯端末に関するものである。
【０００２】
【従来の技術】
図８に従来のプラント管理システムの概略を示す。同図において、１はプラント内に設けられた各種の設備であり、これらの設備はコントローラ２によって制御される。コントローラ２は制御系のＬＡＮ（ローカルエリアネットワーク）３を介して計器室に設けられた中央監視装置４と接続されている。５はデータベースであり、操作権限データベース５−１と操作履歴データベース５−２とを備え、情報系のＬＡＮ６を介して中央監視装置４に接続されている。
【０００３】
このプラント管理システム１００において、コントローラ２は、プラント内の各種管理ポイントのデータを定期的に収集し、この収集したデータを中央監視装置４へ送る。中央監視装置４は各種管理ポイントからのデータを蓄積する。また、中央監視装置４は、操作者からの要求に応えて監視画面を作成し、ディスプレイ上に表示する。中央監視装置４において、操作者には操作権限が与えられており、ディスプレイ上に表示される監視画面からの操作や表示内容などが操作者の操作権限に応じて規制される。
【０００４】
〔操作権限の判定、操作履歴の記録〕
中央監視装置４にログインする際、操作者は、自己に割り当てられている操作者ＩＤ（識別番号）とパスワードを入力する。すると、中央監視装置４は、入力された操作者ＩＤとパスワードに基づいて、操作権限データベース５−１内の操作権限テーブルＴＢを参照し、操作者に与えられている操作権限を判定する。
【０００５】
中央監視装置４は、判定した操作権限に応じて、ディスプレイ上に表示する監視画面からの操作（例えば、実際の設備機器に対する発停操作、温度管理点に対する設定温度の変更、コントロールバルブに対する設定開度の変更など）や表示内容を規制する。また、中央監視装置４は、情報系のＬＡＮ６を介して操作履歴データベース５−２にアクセスし、中央監視装置４における操作履歴を記録する。
【０００６】
このようなプラント管理システム１００においては、例えば現場でのコントロールバルブの開度のチェックや調整を、フィールドマンが計器室のボードマンと連絡を取りながら行っている。フィールドマンとボードマンとの間の連絡には無線ページングなどが使用される。この場合、フィールドマンは、コントロールバルブの設定開度や調整結果などを計器室のボードマンに問い合わせる。ボードマンは、中央監視装置４のディスプレイ上の監視画面をみながら、フィールドマンからの問い合わせに応える。ループチェックと呼ばれる作業では、プラント内の各所のコントロールバルブの開度のチェックや調整を順番に行うので、フィールドマンとボードマンとの間の遣り取りはさらに大変なものとなる。
【０００７】
このような現状に対し、本出願人は、フィールドマンとボードマンとの間の遣り取りをなくし、フィールドマンだけで全作業を完結することの可能なシステムの開発を進めている。このシステムでは、フィールドマンにＰＤＡ（携帯情報端末：Personal Digital Assistance ）を携帯させ、このＰＤＡのディスプレイ上に中央監視装置と同様の監視画面を表示させる。ＰＤＡには、メモリ容量や処理能力などの能力面から、中央監視装置４と同等の機能を持たせることは困難である。すなわち、ＰＤＡに監視画面の作成機能や操作権限の判定機能、操作履歴の記録機能を持たせることは困難である。そこで、本出願人の開発を進めているシステムでは、サーバを設け、このサーバに監視画面の作成機能や操作権限の判定機能、操作履歴の記録機能を持たせるようにし、ＰＤＡからの要求に応えてサーバ側で作成した監視画面をＰＤＡに送るようにした。
【０００８】
図９はＰＤＡのディスプレイに表示される監視画面の一例を示す図である。この監視画面は、ログイン後最初に表示されるメニュー画面であり、その上部に操作メニューが表示される。この例では、操作メニューとして、「アラーム」，「メッセージ」，「グループ」，「更新」の各文字列によって示されるメニューｍ１，ｍ２，ｍ３，ｍ４が表示される。このメニューｍ１，ｍ２，ｍ３，ｍ４の文字列の下にはリンクが張られていることを示す下線が引かれている。この操作メニューにおいて、例えばメニューｍ１を選択すると、メニューｍ１の文字列すなわち「アラーム」のリンク先の詳細画面がサーバから送られてくる。この場合、メニューｍ１〜ｍ４の表示はそのまま残され、メニューｍ１〜ｍ４の下の空白とされていた領域ＤＳにアラーム情報が表示される。
【０００９】
【発明が解決しようとする課題】
しかしながら、このＰＤＡを利用したシステムでは、ＰＤＡのディスプレイ上に表示される監視画面内のメニューｍ１，ｍ２，ｍ３，ｍ４が文字列だけで構成されているので、見づらく、操作もし難い。
これに対し、メニューｍ１，ｍ２，ｍ３，ｍ４にＰＤＡ側で用意されているボタン指示用のタグ（＜Input＞タグ）を使用してボタン化することが考えられる。しかし、ボタン指示用のタグはそのサイズやフォント、表示色が決まっており、ＰＤＡのメニューｍ１〜ｍ４用としては大きすぎる。メニューｍ１〜ｍ４は常にディスプレイ上に表示されるので、詳細情報の表示領域ＤＳを大面積として確保するために、でき得る限りその専有面積が小さいことが望まれる。
また、メニューｍ１〜ｍ４には、その文字列の下にリンク先があることを示す下線が引かれるのみで、リンク先の状態を知ることができない。すなわち、例えばリンク先をアラームの詳細画面とした場合、このアラームの詳細画面に未確認のアラーム情報があっても、メニューｍ１からはその存在を知ることができない。また、「緊急」，「重故障」，「軽故障」など、アラーム情報の種別についても知ることができない。
【００１０】
本発明はこのような課題を解決するためになされたもので、その目的とするところは、リンクが張られた文字列をその専有面積を大きくすることなくボタン化し、かつそのボタンの色からリンク先の状態を知ることのできる携帯端末を提供することにある。
【００１１】
【課題を解決するための手段】
このような目的を達成するために本発明は、携帯端末に、サーバ側から送られてくる、リンクが張られた文字列とこの文字列を囲むタグとの組合せによってイメージ化されそのタグの色によって文字列のリンク先の状態を示す操作ボタンを含む画面を表示する画面表示手段と、この画面表示手段が表示する画面において、操作ボタンが操作された場合、その操作ボタンの文字列のリンク先の詳細画面の送信をサーバに要求する詳細画面要求手段とを設けたものである。
【００１２】
この発明によれば、リンクが張られた文字列とこの文字列を囲むタグとの組合せによってイメージ化されそのタグの色によって文字列のリンク先の状態を示す操作ボタンを含む画面が、サーバから携帯端末へ送られ、携帯端末のディスプレイ上に表示される。この画面において、所望の操作ボタンを押すと、その操作ボタンの文字列のリンク先の詳細画面の送信がサーバに要求され、この要求に応えてサーバから送られてくる詳細画面が携帯端末のディスプレイ上に表示される。
【００１３】
サーバ側では、操作ボタンをイメージ化する際、ブラウザのテーブル構成用のタグをリンクが張られた文字列を囲むタグとして使用することが可能である。ブラウザのテーブル構成用のタグはそのサイズと表示色を自由に選ぶことができる。すなわち、文字列の大きさにあった面積の小さいタグを選ぶことが可能であり、操作ボタンの占有面積を小さくすることが可能である。また、文字列のリンク先として、例えばアラームの詳細画面とした場合、このアラームの詳細画面に未確認のアラーム情報があることを操作ボタンの色で知らせることが可能となる。また、「緊急」，「重故障」，「軽故障」など、アラームの種別についても色で知らせることが可能となる。
【００１４】
【発明の実施の形態】
以下、本発明を図面に基づいて詳細に説明する。図１はこの発明に係る携帯端末の一実施の形態を使用したプラント管理システムの構成図である。同図において、図８と同一符号は同一或いは同等構成要素を示し、その説明は省略する。
【００１５】
この実施の形態では、図８に示した従来のシステム構成に加え、サーバ７とＰＨＳ制御装置８を新たに設け、フィールドマンにＰＤＡ９を携帯させるようにしている。サーバ７は制御系のＬＡＮ３および情報系のＬＡＮ６に接続されており、ＰＨＳ制御装置８は情報系のＬＡＮ６に接続されている。
【００１６】
ＰＤＡ９としては市販のＰＤＡを使用している。すなわち、本実施の形態において、ＰＤＡ９のメモリ容量およびＣＰＵの処理能力は小さい。ＰＤＡ９にはカード型ＰＨＳ電話機１０を装着する。ＰＨＳ制御装置８はプラント内の各所に設けられたアンテナ１１と接続されている。このＰＨＳ制御装置８とアンテナ１１とによってプラント内に無線ＬＡＮ（構内ＰＨＳ）が構築されている。
【００１７】
図２はサーバ７の概略構成を示すブロック図である。同図において、７−１はＣＰＵ、７−２はＲＡＭ、７−３はＲＯＭ、７−４，７−５はインターフェイスである。ＣＰＵ７−１は、ＲＡＭ７−２にアクセスしながら、ＲＯＭ７−３に格納されたプログラムに従って動作する。
【００１８】
ＲＯＭ７−３には、ＰＤＡ９に送る監視画面を作成するためのプログラムや、ＰＤＡ９における操作者の操作権限の判定を行うためのプログラム、ＰＤＡ９における操作履歴を記録するためのプログラム、ブラウザのテーブル構成用のタグなどが格納されている。
【００１９】
図３はＰＤＡ９の概略構成を示すブロック図である。同図において、９−１はＣＰＵ、９−２はＲＡＭ、９−３はＲＯＭ、９−４，９−５，９−６はインターフェイス、９−７はタッチパネル式のディスプレイ、９−８はキー操作部、１０はＰＤＡ９に着脱可能に装着されたカード型ＰＨＳ電話機である。カード型ＰＨＳ電話機１０はインターフェイス９−４を介してＣＰＵ９−１に接続されている。ＣＰＵ９−１は、ＲＡＭ９−２にアクセスしながら、ＲＯＭ９−３に格納されたプログラムに従って動作する。ＲＯＭ９−３には通信用のプログラムや表示用のプログラムなどが格納されている。
【００２０】
〔ＰＤＡからのアクセス〕
例えば、今、フィールドマンがコントロールバルブの開度チェックや調整を行いたいものとする。この場合、フィールドマンは、携帯しているＰＤＡ９のディスプレイ９−７上にログイン画面を表示させる。図４にディスプレイ９−７上に表示されるログイン画面Ｇ１を示す。ログイン画面Ｇ１には操作者ＩＤ（ユーザＩＤ）の入力窓Ｓ１とパスワードの入力窓Ｓ２が表示される。また、ＯＫボタンＢＴ１とリセットボタンＢＴ２が表示される。
【００２１】
フィールドマンは、ログイン画面Ｇ１において、自己に割り当てられている操作者ＩＤを入力窓Ｓ１に入力し、パスワードを入力窓Ｓ２に入力し、ＯＫボタンＢＴ１を押す。すると、入力された操作者ＩＤとパスワードをＣＰＵ９−１がログイン情報として取り込み、このログイン情報をインターフェイス９−４を介してカード型ＰＨＳ電話機１０へ送る。
【００２２】
カード型ＰＨＳ電話機１０は、ＰＨＳ制御装置８との間に無線回線を確立し、ＣＰＵ９−１からのログイン情報をＰＨＳ制御装置８へ送る。ＰＨＳ制御装置８はＰＤＡ９からのログイン情報をサーバ７へ送る。サーバ７は、ＰＤＡ９からのログイン情報を受け取り、このログイン情報の操作者ＩＤとパスワードに基づき、操作権限データベース５−１内の操作権限テーブルＴＢを参照し、ＰＤＡ９における操作者（フィールドマン）の操作権限を判定する。
【００２３】
〔監視画面の作成〕
次に、サーバ７は、判定した操作権限に応じた監視画面を作成し、ＰＨＳ制御装置８を介してＰＤＡ９へ送る。この場合、ＰＨＳ制御装置８とＰＤＡ９との間の無線回線は確立されたままの状態であり、この無線回線を通してサーバ７からの監視画面が直ちにＰＤＡ９へ送られる。ＰＤＡ９において、ＣＰＵ９−１は、サーバ７から送られてきた監視画面をディスプレイ９−７上に表示する。
【００２４】
図５にディスプレイ９−７上に表示される監視画面を示す。サーバ７は、ログイン情報受信後の最初の監視画面として、メニュー画面Ｇ２をＰＤＡ９のディスプレイ９−７上に表示させる。メニュー画面Ｇ２には、その上部に、操作メニューが表示される。この例では、操作メニューとして、「アラーム」，「メッセージ」，「グループ」，「更新」の各メニューＭ１，Ｍ２，Ｍ３，Ｍ４が表示される。
【００２５】
本実施の形態において、メニューＭ１，Ｍ２，Ｍ３，Ｍ４は、リンクが張られた文字列とこの文字列を囲むタグとの組合せによってイメージ化されそのタグの色によって文字列のリンク先の状態を示す操作ボタンとされている。例えば、メニューＭ１においては、「アラーム」という文字列がタグＴＧ１によって囲まれ、操作ボタンとしてイメージ化されている。同様にして、メニューＭ２，Ｍ３，Ｍ４においても、その文字列がタグＴＧ３，ＴＧ４によって囲まれ、操作ボタンとしてイメージ化されている。
【００２６】
このメニュー画面Ｇ２はサーバ７において作成される。サーバ７のＣＰＵ７−１は、メニュー画面Ｇ２に含ませるメニュー（操作ボタン）Ｍ１，Ｍ２，Ｍ３，Ｍ４を作成する際、ＲＯＭ７−２に格納されているブラウザのテーブル構成用のタグを使用する。ブラウザのテーブル構成用のタグはサイズと表示色を自由に選ぶことができる。本実施の形態では、文字列の大きさにあった面積の小さいタグをＴＧ１，ＴＧ２，ＴＧ３，ＴＧ４として使用する。したがって、メニュー画面Ｇ２において、操作ボタン化されたメニューＭ１，Ｍ２，Ｍ３，Ｍ４の占有面積は小さく、詳細情報の表示領域ＤＳとして大面積が確保される。また、タグＴＧ１，ＴＧ２，ＴＧ３，ＴＧ４の基本色は灰色とし、文字列のリンク先に知らせたい情報がある場合にはその色が変えられるものとする。
【００２７】
〔未確認のアラーム情報がある場合〕
メニュー画面Ｇ２において、未確認のアラーム情報がある場合、メニューＭ１のタグＴＧ１が赤色とされる（図６（ａ）参照）。このメニューＭ１の色によって、フィールドマンは、未確認のアラーム情報があることを知ることができる。この赤色表示されたメニュー（操作ボタン）Ｍ１を押すと、ＣＰＵ９−１は、メニューＭ１中の文字列のリンク先の詳細画面の送信をサーバ７へ要求する。サーバ７は、ＰＤＡ９からの要求に応えて、メニューＭ１中の文字列のリンク先の詳細画面を作成し、ＰＤＡ９へ送る。これにより、ＰＤＡ９のディスプレイ９−７上に、サーバ７からの詳細画面が表示される。
【００２８】
このとき表示されるサーバ７からの詳細画面（アラームサマリ画面）を図６（ｂ）に例示する。このアラームサマリ画面Ｇ３では、メニュー画面Ｇ２のメニューＭ１〜Ｍ４の表示がそのまま残され、メニューＭ１〜Ｍ４の下の空白とされていた領域ＤＳにアラーム情報が表示される。この例では、アラーム情報として、アラームリストＬＳ１が表示される。アラームリストＬＳ１において、アラームＡＬ１は「重故障」を示し、アラームＡＬ２は「緊急」を示し、アラームＡＬ３は「軽故障」を示している。
【００２９】
このアラームの種別は、アラームＡＬ１，ＡＬ２，ＡＬ３において、文字列「ＰＶＬＬ」，「ＢＡＤＰＶ」，「ＯＦＦＮＯＲＭ」を囲むタグＴＧ５，ＴＧ６，ＴＧ７の色で知ることができる。この例では、タグＴＧ５が黄色とされ、「重故障（Ｈ）」であることを示している。また、タグＴＧ６が赤色とされ、「緊急（Ｅ）」であることを示している。また、タグＴＧ７がピンク色とされ、「軽故障（Ｌ）」であることを示している。このタグＴＧ５，ＴＧ６，ＴＧ７の色によって、アラームの種別を即座に知ることができ、発生しているアラームに対して重要な順に速やかに対応することができる。
【００３０】
なお、文字列「ＰＶＬＬ」は２段目の下限値に達したことを示し、文字列「ＢＡＤＰＶ」は測定値が測定範囲を超えたことを示し、「ＯＦＦＮＯＲＭ」は通常の状態でないことを示している。この実施の形態では、タグＴＧ５，ＴＧ６，ＴＧ７により囲まれた文字列に下線が引かれており、リンク先の詳細画面があることを示している。この場合も、メニューＭ１〜Ｍ４と同様にして、タグＴＧ５，ＴＧ６，ＴＧ７によって囲まれた文字列の表示部分を押すことによって、すなわちリンクが張られた文字列とこの文字列を囲むタグとの組合せによってイメージ化された操作ボタンを押すことによって、リンク先の詳細画面（アラームの内容）を表示させることができる。
【００３１】
〔未確認のメッセージ情報がある場合〕
メニュー画面Ｇ２において、未確認のメッセージ情報がある場合、メニューＭ２のタグＴＧ２が赤色とされる（図７（ａ）参照）。このメニューＭ２の色によって、フィールドマンは、未確認のメッセージ情報があることを知ることができる。この赤色表示されたメニュー（操作ボタン）Ｍ２を押すと、ＣＰＵ９−１は、メニューＭ２中の文字列のリンク先の詳細画面の送信をサーバ７へ要求する。サーバ７は、ＰＤＡ９からの要求に応えて、メニューＭ２中の文字列のリンク先の詳細画面を作成し、ＰＤＡ９へ送る。これにより、ＰＤＡ９のディスプレイ９−７上に、サーバ７からの詳細画面が表示される。
【００３２】
このとき表示されるサーバ７からの詳細画面（メッセージ画面）を図７（ｂ）に例示する。このメッセージ画面Ｇ４では、メニュー画面Ｇ２のメニューＭ１〜Ｍ４の表示が残され、メニュー画面Ｇ２において空白とされていた領域ＤＳにメッセージ情報が表示される。この例では、メッセージ情報として、メッセージリストＬＳ２が表示される。
【００３３】
メッセージリストＬＳ２において、メッセージＭＳ１は「確認済み」とされており、メッセージＭＳ２およびＭＳ３は「未確認コンファーム待ち」とされている。メッセージＭＳ２，ＭＳ３において、文字列「未確認コンファーム待ち」を囲むタグＴＧ８，ＴＧ９はピンク色とされており、この色によって未確認のメッセージがあることを知ることができる。
【００３４】
メッセージＭＳ２およびＭＳ３において、「未確認コンファーム待ち」と記された部分には下線が引かれており、リンク先の詳細画面があることを示している。この場合も、メニューＭ１〜Ｍ４と同様にして、タグＴＧ８，ＴＧ９によって囲まれた文字列の表示部分を押すことによって、すなわちリンクが張られた文字列とこの文字列を囲むタグとの組合せによってイメージ化された操作ボタンを押すことによって、リンク先の詳細画面（メッセージの内容）を表示させることができる。
【００３５】
なお、上述した実施の形態では、フィールドマンに持たせる携帯端末としてＰＤＡを使用するようにしたが、ＰＤＡに限られるものではない。例えば、携帯電話機などを使用することも考えられる。また、構内ＰＨＳではなく、インターネットを利用してプラントの外の遠隔地からサーバ７にアクセスするようにしてもよい。
【００３６】
また、上述した実施の形態では、プラントに適用した場合の例として説明したが、ビル等においても同様にして適用することが可能であり、対象となる施設はプラントやビル等に限られるものではない。また、携帯端末に表示する画面も監視画面に限られるものではなく、各種の画面に同様にして適用することができる。
【００３７】
【発明の効果】
以上説明したことから明らかなように本発明によれば、リンクが張られた文字列とこの文字列を囲むタグとの組合せによってイメージ化されそのタグの色によって文字列のリンク先の状態を示す操作ボタンを含む画面をサーバから携帯端末へ送り、携帯端末のディスプレイ上に表示するようにしたので、サーバ側において操作ボタンをイメージ化する際にブラウザのテーブル構成用のタグをリンクが張られた文字列を囲むタグとして使用し、文字列の大きさにあった面積の小さいタグを選ぶようにすることができ、リンクが張られた文字列をその専有面積を大きくすることなくボタン化することができるようになる。これにより、例えば画面内に常に表示されるメニューの占有面積を小さくし、詳細情報の表示領域を大面積として確保することができるようになる。
【００３８】
また、本発明によれば、携帯端末に表示される画面内の操作ボタンの色からリンク先の状態を知ることができる。これにより、例えば未確認のアラーム情報やメッセージ情報があることを即座に知ることができ、操作ボタンを押すことによってこれらの詳細画面を携帯端末に表示させることが可能となる。また、操作ボタンの色から、例えば「緊急」，「重故障」，「軽故障」など、アラーム情報の種別についても即座に知ることができ、発生しているアラームに対して重要な順に速やかに対応することが可能となる。
【図面の簡単な説明】
【図１】  本発明に係る携帯端末の一実施の形態を使用したプラント管理システムの構成図である。
【図２】  このプラント管理システムにおけるサーバの概略構成を示すブロック図である。
【図３】  このプラント管理システムにおいてフィールドマンに携帯させるＰＤＡの概略構成を示すブロック図である。
【図４】  ＰＤＡのディスプレイ上に表示されるログイン画面を示す図である。
【図５】  ＰＤＡのディスプレイ上に表示されるメニュー画面を示す図である。
【図６】  未確認のアラーム情報がある場合のメニュー画面およびアラームサマリ画面の表示例を示す図である。
【図７】  未確認のメッセージ情報がある場合のメニュー画面およびメッセージ画面の表示例を示す図である。
【図８】  従来のプラント管理システムの構成図である。
【図９】  本出願人が開発を進めているシステムにおけるＰＤＡのディスプレイ上に表示される以前のメニュー画面の表示例を示す図である。
【符号の説明】
１…設備、２…コントローラ、３…制御系のＬＡＮ、４…中央監視装置、５…データベース、５−１…操作権限データベース、５−２…操作履歴データベース、６…情報系のＬＡＮ、７…サーバ、７−１…ＣＰＵ、７−２…ＲＡＭ、７−３…ＲＯＭ、７−４，７−５…インターフェイス、８…ＰＨＳ制御装置、９…ＰＤＡ（携帯情報端末）、９−１…ＣＰＵ、９−２…ＲＡＭ、９−３…ＲＯＭ、９−４〜９−６…インターフェイス、９−７…ディスプレイ、９−８…キー操作部、１０…カード型ＰＨＳ電話機、１１…アンテナ、ＴＢ…操作権限テーブル、Ｇ１…ログイン画面、Ｇ２…メニュー画面、Ｇ３…アラームサマリ画面、Ｇ４…メッセージ画面、Ｍ１〜Ｍ４…メニュー、ＬＳ１…アラームリスト、ＡＬ１〜ＡＬ４はアラーム、ＬＳ２…メッセージリスト、ＭＳ１〜ＭＳ４…メッセージ、ＴＧ１〜ＴＧ９…タグ、ＤＳ…詳細情報の表示領域、２００…プラント管理システム。
【図１】
0003808794.tif 000002
【図２】
0003808794.tif 000003
【図３】
0003808794.tif 000004
【図４】
0003808794.tif 000005
【図５】
0003808794.tif 000006
【図６】
0003808794.tif 000007
【図７】
0003808794.tif 000008
【図８】
0003808794.tif 000009
【図９】
0003808794.tif 000010